(57)【要約】【課題】大雨のときにサイホン作用により大量の雨水を極めて効率良く排水でき、コストアップや家屋の外観を損なうことがないサイホン式雨水排水装置を提供する。【解決手段】軒先に取付けた軒樋２の底部に、家屋の外壁材１ｂに沿って縦方向に配設した２〜２０ｃｍ２の開口面積を有するサイホン管３の上端を接続した構成のサイホン式雨水排水装置とするか、又は、雨水溜まりとなる凹底部を備えた上合を軒先に取付けた軒樋に接続し、家屋の外壁材に沿って縦方向に配設した２〜２０ｃｍ２の開口面積を有するサイホン管の上端を上合の凹底部に接続した構成のサイホン式雨水排水装置とする。小雨のときには、雨水がサイホン管内を自然落下排水され、大雨になると、サイホン作用により自然落下排水の数倍の流速でサイホン管内を満流状態で流れ落ち、多量の雨水が効率良く排水される。【選択図】  図１
2004308399.tif 000002
【特許請求の範囲】
【請求項１】
軒先に取付けた軒樋の底部に、家屋の外壁材に沿って縦方向に配設した２〜２０ｃｍ２の開口面積を有するサイホン管の上端を接続したことを特徴とするサイホン式雨水排水装置。
【請求項２】
雨水溜まりとなる凹底部を備えた上合を軒先に取付けた軒樋に接続し、家屋の外壁材に沿って縦方向に配設した２〜２０ｃｍ２の開口面積を有するサイホン管の上端を上合の凹底部に接続したことを特徴とするサイホン式雨水排水装置。
【請求項３】
サイホン管の開口面積が３〜１３ｃｍ２である請求項１又は請求項２に記載のサイホン式雨水排水装置。
【請求項４】
サイホン管が、合成樹脂製の丸樋もしくは角樋、又は、可撓性のチューブのいずれかよりなるものである請求項１ないし請求項３のいずれかに記載のサイホン式雨水排水装置。
【請求項５】
サイホン管の上端部に渦流防止部材を取付けた請求項１ないし請求項４のいずれかに記載のサイホン式雨水排水装置。
【請求項６】
軒樋の底部のサイホン管接続箇所を覆うように、下部に流入口を有するカバーを軒樋の底部に設けた請求項１に記載のサイホン式雨水排水装置。
【請求項７】
上合の雨水溜まりとなる凹底部が１〜１０リットルの容積を有する請求項２に記載のサイホン式雨水排水装置。
【請求項８】
上合の凹底部のサイホン管接続箇所を覆うように、多数の透水孔を有する内側カバーを上合の凹底部に設けると共に、この内側カバーを覆うように、多数の透水孔を有する外側カバーを上合の凹底部に設けた請求項２に記載のサイホン式雨水排水装置。
【発明の詳細な説明】
【０００１】
【発明の属する技術分野】
本発明は、大雨のときに雨水を極めて効率よく排水できるサイホン式雨水排水装置に関する。
【０００２】
【従来の技術】
従来の家屋は、軒樋を上合（集水器）に向かって流れ勾配が付くように軒先に取付け、上合に流入した雨水を堅樋を通じて自然落下させることにより排水していた。けれども、軒樋に流れ勾配が付いていると家屋の外観が良くないため、最近の住宅では、流れ勾配を付けないで軒樋を水平に取付ける場合が増えている。また、軒樋の底部に落し口を設け、この落し口に堅樋を接続して雨水を排水するものもある。
【０００３】
【発明が解決しようとする課題】
しかしながら、従来のように雨水を上合や軒樋の落し口から堅樋に自然落下させる排水装置は排水効率があまり良くなく、特に、軒樋を水平に取付ける場合は排水効率が悪くなるので、本来必要な容量以上の大きい軒樋を取付けたり、上合と上合の間隔あるいは落し口と落し口の間隔を狭めて堅樋の本数を増やし、大雨のときに雨水が軒樋から溢れないようにする必要があった。そのため、コストアップを招き、上合や堅樋の増加によって家屋の外観も損なわれるという問題があった。
【０００４】
本発明は上記の問題に対処すべくなされたもので、その目的とするところは、大雨のときにサイホン作用により大量の雨水を極めて効率良く排水でき、コストアップや家屋の外観を損なうことがないサイホン式雨水排水装置を提供することにある。
【０００５】
【課題を解決するための手段】
上記の目的を達成するため、本発明の請求項１に係るサイホン式雨水排水装置（以下、第一のサイホン式雨水排水装置という）は、軒先に取付けた軒樋の底部に、家屋の外壁材に沿って縦方向に配設した２〜２０ｃｍ２の開口面積を有するサイホン管の上端を接続したことを特徴とするものである。
【０００６】
このような構成の第一のサイホン式雨水排水装置は、小雨のときには屋根から軒樋に流れ込んだ雨水がサイホン管の内部を自然落下して排水される。一方、大雨になって屋根から大量の雨水が軒樋に流れ込み、サイホン管の内部を流落する雨水量が増加すると、開口面積が２〜２０ｃｍ２と小さいサイホン管はすぐに雨水で満たされ、サイホン作用によって雨水が自然落下排水の数倍の流速でサイホン管を満流状態で流れ落ち、多量の雨水が極めて効率良く排水される。このサイホン作用による排水は、軒樋底部のサイホン管接続箇所の雨水が少なくなって空気がサイホン管に吸い込まれると停止し、自然落下排水に戻る。
【０００７】
サイホン管の開口面積が２０ｃｍ２より大きい場合は、大雨のときでもサイホン管に空気が吸い込まれて満流状態になりにくいため、サイホン作用による排水が行われにくくなり、サイホン作用による排水が行われてもすぐに空気を吸い込んで自然落下排水に戻るため、排水効率が従来の堅樋等による自然落下排水とあまり変わらなくなる。一方、サイホン管の開口面積が２ｃｍ２よりも小さい場合は、流下する雨水とサイホン管内面との摩擦抵抗が増して流下速度が抑えられるため、サイホン作用が発揮されても十分な排水能力を得ることは難しくなる。
【０００８】
上記のように、第一のサイホン式雨水排水装置は大雨のときの排水能力が極めて高いため、軒樋として従来の軒樋よりも容量の小さいものが使用可能となり、しかも、サイホン管が細くて目立ちにくい上に、サイホン管の設置間隔を広げて設置個数を少なくできるので、コストアップや家屋の外観を損なう心配がなくなる。
【０００９】
前記の目的を達成する本発明の請求項２のサイホン式雨水排水装置（以下、第二のサイホン式雨水排水装置という）は、雨水溜まりとなる凹底部を備えた上合を軒先に取付けた軒樋に接続し、家屋の外壁材に沿って縦方向に配設した２〜２０ｃｍ２の開口面積を有するサイホン管の上端を上合の凹底部に接続したことを特徴とするものである。
【００１０】
この第二のサイホン式雨水排水装置は、前述した第一のサイホン式雨水排水装置と同様に、小雨のときには雨水がサイホン管の内部を自然落下して排水され、大雨のときにはサイホン作用により雨水が自然落下排水の数倍の流速でサイホン管の内部を満流状態で流れ落ちて優れた排水能力を発揮するものであるが、特にこの第二のサイホン式雨水排水装置の場合は、雨水が上合の凹底部に一旦溜められてサイホン管に流れ込むため、サイホン管に空気が吸い込まれにくくなり、サイホン作用による排水が安定して行われるようになる。
【００１１】
上記の第一及び第二のサイホン式雨水排水装置においては、サイホン管の開口面積を３〜１３ｃｍ２とすることが更に好ましく、このような開口面積のサイホン管を用いると、サイホン作用による排水が一層安定して効率良く行われるため排水能力が更に向上する。
【００１２】
サイホン管は、合成樹脂製の丸樋もしくは角樋、又は、可撓性のチューブのいずれかよりなるものが好ましく使用される。丸樋もしくは角樋よりなる開口面積が２〜２０ｃｍ２と小さいサイホン管は、従来の堅樋等に比べると遥かに細くて目立ちにくいため、サイホン管による家屋の外観の低下を抑えることができる。また、可撓性のチューブよりなるサイホン管は、安価で施工性が良く、場合によっては、外部から見えないようにサイホン管を家屋外壁材とその裏側の内壁材との中空部に配設して、家屋の外観をすっきりとさせることも可能である。
【００１３】
更に、上記の第一及び第二のサイホン式雨水排水装置においては、サイホン管の上端部に渦流防止部材を取付けることが好ましい。雨水がサイホン管に流れ込むとき、地球の自転の影響で渦流が発生して空気を吸い込みやすくなるが、上記のようにサイホン管の上端部に渦流防止部材を取付けて渦流が発生しないようにすると、渦流による空気の吸込みがなくなってサイホン作用による排水が一層安定して行われるようになる。
【００１４】
上記の第一のサイホン式雨水排水装置においては、軒樋底部のサイホン管接続箇所を覆うように、下部に流入口を有するカバーを軒樋の底部に設けることが好ましい。このようなカバーを設けると、サイホン管の空気の吸込みがカバーによって防止されるため、サイホン作用による排水が更に安定して排水性能が向上する。特に、軒樋内部の雨水の水面が上昇してカバーが水中に埋没した状態になると、カバーによる空気の吸込み防止作用が顕著に発揮され、サイホン作用による排水が極めて安定して行われるようになる。
【００１５】
上記の第二のサイホン式雨水排水装置においては、雨水溜まりとなる軒樋凹底部の容積を１〜１０リットルとすることが好ましく、この程度の容積があると、大雨のときに十分な量の雨水を軒樋凹底部に溜めながら空気の吸込みを防止してサイホン作用による効率の良い排水を安定して行うことができる。
【００１６】
また、第二のサイホン式雨水排水装置においては、上合の凹底部のサイホン管接続箇所を覆うように、多数の透水孔を有する内側カバーを上合の凹底部に設けると共に、この内側カバーを覆うように、多数の透水孔を有する外側カバーを上合の凹底部に設けることが好ましい。このようにすると、外側カバーと内側カバーによってゴミ等の固形物が二重に除去されるため、サイホン管路のゴミ詰まりを防止できると共に、空気を吸い込む音を消すこともできるようになる。すなわち、上合の凹底部の雨水が空になってサイホン作用による排水が自然落下排水に戻るときには、サイホン管路に空気が吸い込まれてゴボゴボと音が出やすくなるが、この吸気音は内側カバーと外側カバーで二重に減衰されるため十分な消音効果が発揮される。
【００１７】
【発明の実施の形態】
以下、図面を参照して本発明の具体的な実施形態を詳述する。
【００１８】
図１は本発明のサイホン式雨水排水装置の一実施形態を示す側面図、図２，図３，図４は落し口の形状がそれぞれ異なる軒樋底部のサイホン管接続箇所を示す部分断面図、図５，図６は異なる渦流防止部材を取付けた軒樋底部のサイホン管接続箇所を示す部分断面図、図７はカバーを設けた軒樋底部のサイホン管接続箇所を示す部分断面図、図８，図９は上記の異なる渦流防止部材を示す斜視図、図１０は上記のカバーを示す斜視図である。
【００１９】
図１に示すサイホン式雨水排水装置は、家屋軒先の破風板１ａに軒樋吊具（不図示）を用いて軒樋２を取付け、この軒樋２の底部に、家屋の外壁材１ｂに沿って縦方向に配設したサイホン管３の上端を接続したものである。
【００２０】
軒樋２は、ポリ塩化ビニル、ポリカーボネート、ポリオレフィン等の熱可塑性合成樹脂で押出成形されたものや、ブリキなどの金属で造られたものや、樹脂被覆金属板で造られたものなど、従来の種々の軒樋がいずれも使用可能であり、従来の軒樋より小型の軒樋も使用可能である。
【００２１】
サイホン管３は、２〜２０ｃｍ２の開口面積、好ましくは３〜１３ｃｍ２の開口面積を有する合成樹脂製の細い丸樋３ａをエルボ継手３ｂを介して接続することにより形成されたものであって、固定具３ｃにより家屋の外壁材１ｂに固定されている。サイホン管としては、上記と同様の開口面積を有する合成樹脂製の細い角樋をエルボ継手を介して接続したものや、後述する可撓性のチューブなども好ましく使用される。
【００２２】
サイホン管３のサイホン作用によって軒樋２から大量の雨水を効率良く排水するためには、２〜２０ｃｍ２の開口面積を有する細いサイホン管３を採用することが必要であり、開口面積が２０ｃｍ２より大きくなると、既述したように空気を吸い込んでサイホン管内が満流状態になりにくいため、サイホン作用による排水を行うことが困難になる。一方、２ｃｍ２より小さくなると、流下する雨水とサイホン管３内面との摩擦抵抗が増して流下速度が低下するため、十分な排水能力を発揮することが困難になる。より好ましい開口面積は、既述したように３〜１３ｃｍ２であり、かかる開口面積のサイホン管３を採用すると、サイホン作用による排水が安定して優れた排水能力を発揮することができる。
【００２３】
サイホン管３の上端は、図２に示すように、軒樋２の底部に設けられた落し口２ａの雄筒部２ｂに接続されている。この落し口２ａは、上部外周面に雄ネジが形成された雄筒部２ｂの上端にフランジ部２ｃを設けたものであって、軒樋２底部の開口に上方から挿入され、そのフランジ部２ｃが開口周縁部に係止されている。そして、この雄筒部２ｂには、内周面に雌ネジを形成した締付けリング２ｄが下方から螺合され、雄筒部２ｂの上端のフランジ部２ｃと締付けリング２ｄの上端のフランジ部２ｅによって軒樋２底部の開口周縁部を上下から挟持した状態で取付けられている。これらのフランジ部２ｃ，２ｅは、漏水を防止するために接着剤を用いて軒樋２の底部に水密的に接着することが望ましい。
【００２４】
落し口２ａの形状は、図３に示すように、雄筒部２ｂからフランジ部２ｃに連なる部分２ｆにアールを付けた所謂ベルマウス形状とすることが好ましく、このようなベルマウス形状の落し口２ａを設けると、サイホン管３ａへの雨水の流入抵抗が減少するため、サイホン作用による排水性能が一層向上する利点がある。また、図４に示すように、雄筒部２ｂからフランジ部２ｃに連なる部分にテーパー状の面取り２ｇを形成した落し口２ａも、サイホン管３ａへの雨水の流入抵抗が減少するので好ましい。
【００２５】
サイホン管３の下端は、図１に示すように異径継手４ａを介して太い排水管４ｂに接続されており、この排水管４ｂは地中の雨水桝４ｃに接続されている。なお、この排水管４ｂは必ずしも雨水桝４ｃに接続する必要がなく、地中に埋設された雨水浸透トレンチ管（不布図）等に接続してもよい。
【００２６】
上記構成のサイホン式雨水排水装置は、小雨のときには屋根１ｃから軒樋２に流れ込んだ雨水が空気と共にサイホン管３の内部を自然落下して排水される。けれども、大雨になって屋根１ｃから大量の雨水が軒樋２に流れ込み、サイホン管３の内部を流落する雨水量が増加すると、開口面積が２〜２０ｃｍ２と小さいサイホン管３はすぐに雨水で満たされ、サイホン作用によって雨水が自然落下排水の数倍の流速でサイホン管３内を満流状態で大量に流れ落ちる。特に、軒樋２底部の落し口２ａが前述のベルマウス形状であったり、テーパー状の面取り２ｆが形成されたものである場合は、サイホン管３への雨水の流入抵抗が小さいため排水性能が一層向上するようになる。そして、雨水がサイホン管３から太い排水管４ｂに流れ込むと自然落下排水に戻って減速され、雨水桝４ｃを経て地下貯水槽（不図示）や下水管（不図示）へ排水される。このサイホン作用による排水は、軒樋２内部の雨水が減少して空気がサイホン管３に吸い込まれるようになると停止し、自然落下排水に戻る。
【００２７】
上記のように、このサイホン式雨水排水装置は大雨のときの排水能力が極めて高いため、軒樋２として従来の軒樋よりも容量の小さいものを使用しても、雨水が溢れる心配はない。また、排水能力が上記のように高ければ、サイホン管３の設置間隔を広げて設置個数を減少させることができるため、サイホン管３が細くて目立ちにくいことと相俟って、雨水排水装置による家屋の外観低下を最小限に抑えることが可能となり、施工費用を低減することも可能となる。
【００２８】
ところで、雨水が軒樋２底部の落し口２ａからサイホン管３に流れ込むときには、地球の自転の影響で渦流が発生して空気を吸い込みやすくなり、空気を吸い込むとサイホン作用による排水は自然落下排水に戻る。従って、サイホン作用による排水を安定化して持続させるためには、図５及び図６に示すような渦流防止部材５，６をサイホン管３の上端部に取付けることが好ましい。
【００２９】
上記の渦流防止部材５は、図８に示すように円筒５ａの内部に格子状の仕切り板５ｂを設けたもので、円筒５ａの外径はサイホン管３の内径と実質的に同一とされている。特に、円筒５ａの長さが５０ｍｍ以上（例えば５０〜２００ｍｍ程度）であって、その開口率が７０％以上である渦流防止部材５は、これを図５に示すようにサイホン管３の上端部に内嵌して取付けると、格子状の仕切り板５ｂにより渦流が阻止されて整流となり、大量の雨水が空気を吸い込むことなく速やかにサイホン管３内を満流状態で流下するので好ましい。円筒５ａの長さが５０ｍｍより短い場合は、渦流防止作用及び整流作用が不十分となり、開口率が７０％より低い場合は、サイホン管３への雨水の流入量が減少して排水能力の低下を招くので、いずれの場合も好ましくない。
【００３０】
なお、上記の渦流防止部材５に代えて、外径がサイホン管３の内径と実質的に同一である長さが５０ｍｍ以上の円柱に、その中心線と平行な多数の貫通孔を形成して開口率を７０％以上とした渦流防止部材なども好適に使用することができる。
【００３１】
もう一つの渦流防止部材６は、図９に示すように、直交する十字板６ａの下部に、軒樋２底部の落し口２ａのベルマウス形状に対応する形状の切欠部６ｂを形成したものである。図６に示すように、この渦流防止部材６の下部を落し口２ａからサイホン管３の上端部に挿入して取付けると、雨水が落し口２ａに流入する前に渦流防止部材６の十字板６ａによって渦流の発生が確実に阻止されるため、渦流による空気の吸込みがなくなってサイホン作用による排水が安定化する。
【００３２】
また、サイホン管３への空気の吸い込みを防止するためには、図７に示すようなカバー７を軒樋２底部のサイホン管接続箇所（落し口２ａ）を覆うように設けることも有効である。このカバー７は、図１０に示すような正方形のカバーであって、四側面の下部に流入口７ａが形成されたものである。かかるカバー７を図７に示すように設置すると、軒樋２内部の雨水の水面が流入口７ａより高くなったときに、落し口２ａと大気とがカバー７によって隔離されるため、落し口２ａからの空気の吸い込みが防止される。特に、雨水の水面が上昇してカバー７が水中に埋没した状態になると、渦流による大気から落し口２ａへの空気通路がカバー７によって完全に遮断されるため、空気の吸込み防止作用が顕著に発揮されてサイホン作用による排水が極めて安定して行われるようになる。
【００３３】
なお、このカバー７に代えて、下部周囲に流入口を形成した円形ドーム状のカバーなどを使用することも勿論可能である。
【００３４】
図１１は本発明の他の実施形態に係るサイホン式雨水排水装置の正面図、図１２は同装置の断面図、図１３は同装置の部分拡大図、図１４は同装置における上合とサイホン管との接続箇所の分解断面図、図１５は同装置における上合の斜視図、図１６（ａ），（ｂ）は同装置における横引きガイドの正面図と側面図、図１７（ａ），（ｂ）は同装置におけるコーナーガイドの正面図と側面図である。
【００３５】
このサイホン式雨水排水装置は、軒樋２、上合８、可撓性のチューブからなるサイホン管３、サイホン管３の配設に用いる横引きガイド９、コーナーガイド１０、チューブ固定バンド１１、吊り金具１２などの付属部品によって構成されている。
【００３６】
図１１に示すように、このサイホン式雨水排水装置では、軒樋２が左右から上合８に接続されている。この上合８は軒樋２と同様の熱可塑性合成樹脂で射出成形されたものであって、図１１、図１４、図１５に示すように、雨水溜まりとなる深い凹底部８ａを有している。上合８の左右両端には、軒樋２を接続するための軒樋嵌合部８ｂ，８ｂが設けられており、この軒樋嵌合部８ｂに接続された軒樋２の耳部を押さえる耳押さえ部８ｅ，８ｅが上合８の前板８ｃと後板８ｄの上端に形成されている。そして、上記凹底部８ａの後側中央部には一段低い凹部８ｆが設けられており、この凹部８ｆに連通するネジ孔８ｇが上合の後板８ｄの下端部に形成されている。このネジ孔８ｇには、図１３、図１４に示すように、先端に雄ネジを形成したねじ込みソケット８ｈが螺合されており、このねじ込みソケット８ｈにサイホン管３の上端が嵌合接続されて、これらの接続箇所から空気が入らないように密閉されている。
【００３７】
雨水溜まりとなる上記凹底部８ａの内容積は、１リットル〜１０リットル程度であることが好ましい。１リットルより小さい場合は、サイホン作用による排水が始まるとすぐに空気がサイホン管３に吸い込まれるため、サイホン作用による排水と自然落下排水が繰り返されて安定せず、空気の吸い込まれる音が大きいという不都合を生じる。一方、１０リットルより大きい場合は、サイホン作用による排水が安定し、効率良く雨水を排水できるけれども、上合８を正面から見たときに凹底部８ａが目立ち過ぎて家屋の外観を損なうという不都合が生じる。凹底部８ａのより好ましい内容積は、１．５リットル〜７リットルである。
【００３８】
また、上記の一段低い凹部８ｆは、その形状を流水抵抗の小さな曲面形状とすることによって、凹底部８ａに溜まった雨水が該凹部８ｆにスムーズに流れ込んでサイホン管３に吸引されるようにすることが好ましい。このような凹部８ｆが形成されていると、凹底部８ａの雨水が空に近い状態になるまでサイホン管３に空気が入らないため、サイホン作用による排水が安定化する。
【００３９】
この実施形態におけるサイホン管３は、可撓性を有する軟質合成樹脂製あるいは合成ゴム製のチューブからなるものであって、特に補強用のネットを埋入した強度及び耐久性の良好なチューブが好ましく使用される。この可撓性のチューブからなるサイホン管３（以下、サイホンチューブ３という）は、既述したようにサイホン作用による優れた排水能力を発揮させるためには２〜２０ｃｍ２の開口面積を有する必要があり、特に、３〜１３ｃｍ２の開口面積を有することが好ましい。
【００４０】
図１２、図１３に示すように、上記のサイホンチューブ３は軒天１ｄの下面に沿って横引きされ、さらに家屋外壁材１ｂに沿って縦方向に配設されている。このサイホンチューブ３の横引きされた上端部には合成樹脂製の横引きガイド９が外嵌着され、高さ調節自在な吊り金具１２で軒天１ｄの先端から吊持されている。そして、サイホンチューブ３の湾曲したコーナー部には合成樹脂製のコーナーガイド１０が外嵌着され、このコーナーガイド１０が家屋外壁材１ｂに固定されている。
【００４１】
上記の横引きガイド９は、図１６（ａ）（ｂ）に示すように上部が開環した直状の円筒体であって、開環部分の端縁９ａ，９ａが両外側へ屈曲形成されている。従って、この上端縁９ａ，９ａを案内片として下方から横引きガイド９をサイホンチューブ３に押し付けると、横引きガイド９の開環部分が弾性的に拡開して簡単に外嵌着できるようになっている。
【００４２】
また、上記のコーナーガイド１０は、図１７（ａ）（ｂ）に示すように、上部から後部にかけて開環した湾曲状の円筒体であって、開環部分の端縁１０ａ，１０ａが両外側へ屈曲形成されている。そして、このコーナーガイド１０の前端には、上記の横引きガイド９を接続するための嵌合部１０ｂが形成され、更に、下端部の端縁１０ａ，１０ａから両側に孔付きの取付片１０ｃ，１０ｃが形成されている。
【００４３】
従って、開環部分の端縁１０ａ，１０ａを案内片としてコーナーガイド１０をサイホンチューブ３の湾曲コーナー部分に押し付けると、開環部分が弾性的に拡開して簡単に外嵌着でき、さらに前端の嵌合部１０ｂを横引きガイド９の後端部に外嵌着すると、横引きガイド９とコーナーガイド１０の接続を簡単に行うことができるようになっている。そして、図１３に示すように、取付片１０ｃの孔からビス等の止具１ｅを家屋外壁材１ｂにねじ込むと、コーナーガイド１０を容易かつ確実に固定できるようになっている。
【００４４】
家屋外壁材１ｂに沿って縦方向に配設されたサイホンチューブ３は、図１１、図１２に示すようにチューブ固定バンド１１により数箇所で家屋外壁材１ｂや布基礎１ｆに固定され、チューブ下端が屋外の地中に埋設された雨水桝４ｃに接続されている。可撓性を有するサイホンチューブ３は、適当に曲げながら簡単に配設でき、図１２に示すように家屋外壁材１ｂの下端に水切り材１ｇが取付けられている場合でも、水切り材１ｇを迂回するようにサイホンチューブ３を曲げて配設できるため、施工性が良好である。
【００４５】
尚、サイホンチューブ３は、家屋外壁材１ｂと内壁材１ｈとの間の断熱材１ｉを充填している中空部１ｊに通すようにしてもよく、その場合は、外部からサイホンチューブ３が見えないので、家屋の外観を大幅に向上させることができる。また、サイホンチューブ３の下端は必ずしも雨水桝４ｃに接続する必要はなく、地中に埋設された雨水浸透トレンチ管（不布図）等に接続してもよい。
【００４６】
さらに、上記のサイホンチューブ３と、別の軒樋の上合から家屋外壁材に沿って配設されたサイホンチューブ３を一緒に雨水桝４ｃに接続してもよく、このように複数本のサイホンチューブ３を雨水桝４ｃに接続すると、雨水桝４ｃの数を少なくして排水管等の施工を少なくできる。
【００４７】
以上のような構成のサイホン式雨水排水装置も、小雨のときには雨水が屋根１ｃから軒樋２を経て上合８の凹底部８ａに流れ込み、サイホンチューブ３の内部を自然落下して排水される。一方、大雨になってサイホンチューブ３内を流落する雨水量が増加し、チューブ内が雨水で満たされると共に上合８の凹底部８ａに雨水が溜まりだすと、サイホン作用によってサイホンチューブ３内を雨水が自然落下排水の数倍の流速で流れ落ちるため、多量の雨水が極めて効率良く排水される。例えば、サイホンチューブ３の開口面積が約７ｃｍ２で、チューブ上端からチューブ下端までの高低差が略５ｍであると、雨水の流速は略２．７ｍ／秒程度になり、排水量は略１１５リットル／分程度になる。このサイホン作用による排水は、上合８の凹底部８ａの雨水が少なくなって空気がサイホンチューブ３に入ると停止し、通常の自然落下排水に戻る。
【００４８】
上記のようにこのサイホン式雨水排水装置も排水効率が極めて高いため、軒樋２として従来より小さいものが使用可能となり、しかも上合８やサイホンチューブ３の設置間隔を従来の堅樋間隔より広げて設置個数を少なくすることができるので、コストアップや家屋の外観の低下を防止することができる。
【００４９】
サイホンチューブ３は上述したように従来の堅樋に比べると開口面積が遥かに小さいものであるが、サイホン作用で排水されるときの流速が速いため、固形物は洗い流されてサイホンチューブ３内に詰まる恐れがほとんどない。けれども、サイホンチューブ３のゴミ詰まりをより確実に防止するためには、図１８に示すように内側カバー１３ａと外側カバー１３ｂを凹底部８ａに取付けた上合８を用いることが望ましい。
【００５０】
この図１８に示す上合８は、その凹底部８ａの中央部に僅かに低い低段部８ｉを形成し、サイホンチューブ３の接続箇所（凹部８ｆ）を覆うように、多数の小さな透水孔を有する内側カバー１３ａを低段部８ｉに設置すると共に、この内側カバー１３ａを覆うように、多数の小さな透水孔を有する外側カバー１３ｂを凹底部８ａに設置したものである。その他の構成は前述した上合８と同様であるので、図１８において同一部分に同一符号を付し、重複する説明を省略する。
【００５１】
このように内側カバー１３ａと外側カバー１３ｂを取付けた上合８を採用すると、雨水に含まれるゴミ等の固形物はこれらのカバー１３ａ，１３ｂによって二重に除去されるため、サイホンチューブ３のゴミ詰まりを確実に防止することができる。また、凹底部８ａの雨水が空になってサイホン作用による排水が自然落下排水に戻るときには、サイホンチューブ３に空気が吸い込まれてゴボゴボと音がでることが多いけれども、この音の伝播は内側カバー１３ａと外側カバー１３ｂによって二重に減衰されるため、満足な消音効果も発揮されることになる。なお、カバー１３ａ，１３ｂの一方のみを使用することによっても、ゴミ等の固形物の除去と消音効果が発揮されることはいうまでもない。
【００５２】
【発明の効果】
本発明のサイホン式雨水排水装置は、大雨になるとサイホン作用によって大量の雨水を極めて効率良く排水することができ、しかも、軒樋の小型化が可能である上に、サイホン管の配設間隔を広げて設置数を低減できるため、コストアップや家屋の外観低下を防止できるといった効果を奏する。特に、可撓性を有するサイホンチューブでサイホン管を形成したものは施工性が向上し、また、サイホン管の上端部に渦流防止部材を取付けたものや、下部に流入口を有するカバーで軒樋底部のサイホン管接続箇所を覆ったものは、サイホン作用による排水の安定性が向上し、更に、上合に内側カバーと外側カバーを設けたものはゴミ詰まりの防止と消音効果も発揮できるようになる。
【図面の簡単な説明】
【図１】本発明の一実施形態に係るサイホン式雨水排水装置の側面図である。
【図２】同装置における軒樋底部のサイホン管接続箇所を示す部分断面図である。
【図３】落し口の形状が異なる軒樋底部のサイホン管接続箇所を示す部分断面図である。
【図４】落し口の形状が更に異なる軒樋底部のサイホン管接続箇所を示す部分断面図である。
【図５】渦流防止部材を取付けた軒樋底部のサイホン管接続箇所を示す部分断面図である。
【図６】異なる渦流防止部材を取付けた軒樋底部のサイホン管接続箇所を示す部分断面図である。
【図７】カバーを設けた軒樋底部のサイホン管接続箇所を示す部分断面図である。
【図８】渦流防止部材を示す斜視図である。
【図９】異なる渦流防止部材を示す斜視図である。
【図１０】カバーを示す斜視図である。
【図１１】本発明の他の実施形態に係るサイホン式雨水排水装置の正面図である。
【図１２】同装置の断面図である。
【図１３】同装置の部分拡大図である。
【図１４】同装置における上合とサイホン管（サイホンチューブ）との接続箇所の分解断面図である。
【図１５】同装置における上合の斜視図である。
【図１６】（ａ）は同装置における横引きガイドの正面図、（ｂ）はその側面図である。
【図１７】（ａ）は同装置におけるコーナーガイドの正面図、（ｂ）はその側面図である。
【図１８】内側カバーと外側カバーを設けた上合の断面図である。
【符号の説明】
１ｂ  家屋の外壁材
２  軒樋
２ａ    落し口
３  サイホン管
３ａ  丸樋
５，６  渦流防止部材
７  下部に流入口を有するカバー
８  上合
８ａ  凹底部
１３ａ  内側カバー
１３ｂ  外側カバー
【図１】
2004308399.tif 000003
【図２】
2004308399.tif 000004
【図３】
2004308399.tif 000005
【図４】
2004308399.tif 000006
【図５】
2004308399.tif 000007
【図６】
2004308399.tif 000008
【図７】
2004308399.tif 000009
【図８】
2004308399.tif 000010
【図９】
2004308399.tif 000011
【図１０】
2004308399.tif 000012
【図１１】
2004308399.tif 000013
【図１２】
2004308399.tif 000014
【図１３】
2004308399.tif 000015
【図１４】
2004308399.tif 000016
【図１５】
2004308399.tif 000017
【図１６】
2004308399.tif 000018
【図１７】
2004308399.tif 000019
【図１８】
2004308399.tif 000020